(57)【特許請求の範囲】
【請求項１】
検査において実行される複数の撮像プロトコルごとに撮像位置を設定する撮像位置設定部と、
前記複数の撮像プロトコルのプロトコル情報と位置決め情報とを対応付けて一覧で表示する表示部と、
前記複数の撮像プロトコルのうち、前記撮像位置が設定された撮像プロトコルについては、前記位置決め情報を表す所定の形状又は文字で表されたアイコンを表示する表示制御部と、
前記表示された前記アイコンに対する操作を受け付ける操作受付部と、
前記操作受付部により受け付けられた前記アイコンに対する操作に応じて、前記位置決め情報に対応する撮像プロトコルに関する撮像位置に基づく処理を実行する処理実行部と、
を備え、
前記表示制御部は、同じ撮像位置が設定された撮像プロトコルについては、前記アイコンを同じ表示態様で表示することを特徴とする磁気共鳴イメージング装置。
【請求項２】
前記表示制御部は、前記アイコンに対する操作に応じて、前記位置決め情報に対応する撮像プロトコルにおける撮像位置を示す情報を被検体の画像とともに表示することを特徴とする請求項１に記載の磁気共鳴イメージング装置。
【請求項３】
前記処理実行部は、第１の撮像プロトコルに対応するアイコンに対する操作の後に、第２の撮像プロトコルに対する操作を受け付けた場合に、前記第１の撮像プロトコルの撮像位置を前記第２の撮像プロトコルの撮像位置として設定することを特徴とする請求項１又は２に記載の磁気共鳴イメージング装置。
【請求項４】
前記複数の撮像プロトコルごとに撮像条件を変更する撮像条件変更部をさらに備え、
前記表示制御部は、前記撮像条件変更部により撮像条件が変更された撮像プロトコルについては、撮像条件が変更される前の表示態様とは異なる表示態様で位置決め情報を表示することを特徴とする請求項１〜３のいずれか一つに記載の磁気共鳴イメージング装置。
【請求項５】
前記複数の撮像プロトコルごとに撮像位置を変更する撮像位置変更部をさらに備え、
前記撮像位置変更部は、前記複数の撮像プロトコルのうちいずれかの撮像プロトコルに関する撮像位置が変更された場合に、変更前の撮像位置と同じ撮像位置が設定されている他の撮像プロトコルについても同様に撮像位置を変更することを特徴とする請求項１〜４のいずれか一つに記載の磁気共鳴イメージング装置。
【請求項６】
前記複数の撮像プロトコルのプロトコル情報と撮像位置情報とを対応付けたプロトコル定義情報を撮像プロトコルごとに記憶するプロトコル定義情報記憶部をさらに備え、
前記表示制御部は、前記プロトコル定義情報記憶部により記憶されたプロトコル定義情報に基づいて、前記複数の撮像プロトコルの前記プロトコル情報と前記位置決め情報とを表示することを特徴とする請求項１〜５のいずれか一つに記載の磁気共鳴イメージング装置。
【発明の詳細な説明】
【技術分野】
【０００１】
本発明の実施の形態は、磁気共鳴イメージング装置に関する。
【背景技術】
【０００２】
従来、磁気共鳴イメージング（Magnetic  Resonance  Imaging：ＭＲＩ）装置は、被検体の任意の断面を撮像することが可能である。そのため、ＭＲＩ装置による撮像では、撮像が行われる前に操作者によって撮像対象の断面の位置である撮像位置が設定される。このような撮像位置の設定は、例えば、本撮像の前に撮像された被検体の画像（以下、位置決め画像と呼ぶ）上に操作者が関心領域（Region  Of  Interest：ＲＯＩ）を設定することで行われる。
【０００３】
また、一般的に、ＭＲＩ装置による撮像では、１回の検査で複数の撮像プロトコルが実行される。ここでいう撮像プロトコルとは、Ｔ１強調画像撮像やＴ２強調画像撮像、拡散強調画像撮像、ＭＲＡ（Magnetic  Resonance  Angiography）などの撮像の種類ごとに操作者が撮像パラメータを設定することで定義された撮像の単位である。このように、複数の撮像プロトコルが実行される場合には、操作者によって撮像プロトコルごとに撮像位置が設定される。
【先行技術文献】
【特許文献】
【０００４】
【特許文献１】特開２００５−１１８４６１号公報
【発明の概要】
【発明が解決しようとする課題】
【０００５】
しかしながら、上述した従来技術では、複数の撮像プロトコルが実行される場合に、プロトコルごとに位置決め画像上で撮像位置の設定が行われるため操作が煩雑になり、操作者の負担が大きくなる場合があった。
【課題を解決するための手段】
【０００６】
実施形態の磁気共鳴イメージング装置は、撮像位置設定部と、表示部と、表示制御部と、操作受付部と、処理実行部とを備える。撮像位置設定部は、検査において実行される複数の撮像プロトコルごとに撮像位置を設定する。表示部は、前記複数の撮像プロトコルのプロトコル情報と位置決め情報とを対応付けて一覧で表示する。表示制御部は、前記複数の撮像プロトコルのうち、前記撮像位置が設定された撮像プロトコルについては、前記位置決め情報を表す所定の形状又は文字で表されたアイコンを表示する。操作受付部は、前記表示された前記アイコンに対する操作を受け付ける。処理実行部は、前記操作受付部により受け付けられた前記アイコンに対する操作に応じて、前記位置決め情報に対応する撮像プロトコルに関する撮像位置に基づく処理を実行する。前記表示制御部は、同じ撮像位置が設定された撮像プロトコルについては、前記アイコンを同じ表示態様で表示する。
【図面の簡単な説明】
【０００７】
【図１】図１は、本実施例に係るＭＲＩ装置の構成を示す図である。
【図２】図２は、本実施例に係る計算機システムの詳細な構成を示す機能ブロック図である。
【図３】図３は、本実施例に係るプロトコル定義情報記憶部により記憶されるプロトコル定義情報の一例を示す図である。
【図４】図４は、本実施例に係るＭＲＩ装置により実行される撮像プロトコルの追加処理の処理手順を示すフローチャートである。
【図５】図５は、本実施例に係る表示制御部により表示されるプロトコル一覧画面の一例を示す図である。
【図６】図６は、本実施例に係るＭＲＩ装置により実行される位置決め画像の参照表示処理及び位置決め情報複写処理の処理手順を示すフローチャートである。
【図７】図７は、本実施例に係る表示制御部による位置決め画像の参照表示の一例を示す図である。
【図８】図８は、本実施例に係る表示制御部による位置決め情報の複写の一例を示す図である。
【図９】図９は、本実施例に係るＭＲＩ装置により実行される撮像条件変更処理の処理手順を示すフローチャートである。
【図１０】図１０は、本実施例に係る表示制御部による位置決め情報の表示態様の変更の一例を示す図である。
【図１１】図１１は、本実施例に係るＭＲＩ装置により実行される撮像位置変更処理の処理手順を示すフローチャートである。
【図１２】図１２は、本実施例に係る位置決めアイコンの表示態様の変更に関する他の例を示す図である。
【発明を実施するための形態】
【０００８】
以下に、図面を参照して、本実施形態に係る磁気共鳴イメージング装置について詳細に説明する。
【実施例】
【０００９】
まず、本実施例に係るＭＲＩ装置の構成について説明する。図１は、本実施例に係るＭＲＩ装置の構成を示す図である。図１に示すように、このＭＲＩ装置１００は、静磁場磁石１、傾斜磁場コイル２、傾斜磁場電源３、寝台４、寝台制御部５、送信ＲＦコイル６、送信部７、受信ＲＦコイル８、受信部９、シーケンス制御部１０及び計算機システム２０を備える。
【００１０】
静磁場磁石１は、中空の円筒形状に形成された磁石であり、内部の空間に一様な静磁場を発生する。この静磁場磁石１としては、例えば永久磁石、超伝導磁石等が使用される。
【００１１】
傾斜磁場コイル２は、中空の円筒形状に形成されたコイルであり、静磁場磁石１の内側に配置される。この傾斜磁場コイル２は、互いに直交するＸ，Ｙ，Ｚの各軸に対応する３つのコイルが組み合わされて形成されており、これら３つのコイルは、後述する傾斜磁場電源３から個別に電流供給を受けて、Ｘ，Ｙ，Ｚの各軸に沿って磁場強度が変化する傾斜磁場を発生させる。なお、Ｚ軸方向は、静磁場と同方向とする。傾斜磁場電源３は、傾斜磁場コイル２に電流を供給する。
【００１２】
ここで、傾斜磁場コイル２によって発生するＸ，Ｙ，Ｚ各軸の傾斜磁場は、例えば、スライス選択用傾斜磁場Ｇｓ、位相エンコード用傾斜磁場Ｇｅ及びリードアウト用傾斜磁場Ｇｒにそれぞれ対応する。スライス選択用傾斜磁場Ｇｓは、任意に撮像断面を決めるために利用される。位相エンコード用傾斜磁場Ｇｅは、空間的位置に応じて磁気共鳴信号の位相を変化させるために利用される。リードアウト用傾斜磁場Ｇｒは、空間的位置に応じて磁気共鳴信号の周波数を変化させるために利用される。
【００１３】
寝台４は、被検体Ｐが載置される天板４ａを備え、後述する寝台制御部５による制御のもと、被検体Ｐが載置された状態で天板４ａを傾斜磁場コイル２の空洞（撮像口）内へ挿入する。通常、この寝台４は、長手方向が静磁場磁石１の中心軸と平行になるように設置される。寝台制御部５は、制御部２６による制御のもと、寝台４を制御する装置であり、寝台４を駆動して、天板４ａを長手方向及び上下方向へ移動する。
【００１４】
送信ＲＦコイル６は、傾斜磁場コイル２の内側に配置され、送信部７から高周波パルスの供給を受けて高周波磁場を発生する。送信部７は、ラーモア周波数に対応する高周波パルスを送信ＲＦコイル６に送信する。受信ＲＦコイル８は、傾斜磁場コイル２の内側に配置され、上記の高周波磁場の影響によって被検体Ｐから放射される磁気共鳴信号を受信する。この受信ＲＦコイル８は、磁気共鳴信号を受信すると、その磁気共鳴信号を受信部９へ出力する。
【００１５】
受信部９は、受信ＲＦコイル８から出力される磁気共鳴信号に基づいて磁気共鳴（Magnetic  Resonance：ＭＲ）信号データを生成する。この受信部９は、受信ＲＦコイル８から出力される磁気共鳴信号をデジタル変換することによってＭＲ信号データを生成する。このＭＲ信号データには、前述したスライス選択用傾斜磁場Ｇｓ、位相エンコード用傾斜磁場Ｇｅ及びリードアウト用傾斜磁場Ｇｒによって、位相エンコード方向、リードアウト方向、スライスエンコード方向の空間周波数の情報が対応付けられてｋ空間に配置される。そして、ＭＲ信号データを生成すると、受信部９は、そのＭＲ信号データをシーケンス制御部１０へ送信する。
【００１６】
シーケンス制御部１０は、計算機システム２０から送信されるシーケンス実行データに基づいて、傾斜磁場電源３、送信部７及び受信部９を駆動することによって、被検体Ｐのスキャンを実行する。ここで、シーケンス実行データとは、傾斜磁場電源３が傾斜磁場コイル２に供給する電源の強さや電源を供給するタイミング、送信部７が送信ＲＦコイル６に送信するＲＦ信号の強さやＲＦ信号を送信するタイミング、受信部９が磁気共鳴信号を検出するタイミングなど、被検体Ｐのスキャンを実行するための手順を示すパルスシーケンスを定義した情報である。なお、シーケンス制御部１０は、シーケンス実行データに基づいて傾斜磁場電源３、送信部７及び受信部９を駆動した後に、受信部９からＭＲ信号データが送信されると、そのＭＲ信号データを計算機システム２０へ転送する。
【００１７】
計算機システム２０は、ＭＲＩ装置１００の全体制御を行う。例えば、計算機システム２０は、ＭＲＩ装置１００が有する各部を駆動することで、被検体Ｐのスキャンや画像再構成などを行う。この計算機システム２０は、インタフェース部２１、画像再構成部２２、記憶部２３、入力部２４、表示部２５及び制御部２６を有する。
【００１８】
インタフェース部２１は、シーケンス制御部１０との間で授受される各種信号の入出力を制御する。例えば、このインタフェース部２１は、シーケンス制御部１０に対してシーケンス実行データを送信し、シーケンス制御部１０からＭＲ信号データを受信する。ＭＲ信号データを受信すると、インタフェース部２１は、各ＭＲ信号データを被検体Ｐごとに記憶部２３に格納する。
【００１９】
画像再構成部２２は、記憶部２３によって記憶されたＭＲ信号データに対して、後処理、すなわちフーリエ変換等の再構成処理を施すことによって、被検体Ｐ内における所望核スピンのスペクトラムデータあるいは画像データを生成する。
【００２０】
記憶部２３は、後述する制御部２６によって実行される処理に必要な各種データや各種プログラムなどを記憶する。例えば、記憶部２３は、インタフェース部２１によって受信されたＭＲ信号データや、画像再構成部２２によって生成されたスペクトラムデータや画像データなどを、被検体Ｐごとに記憶する。
【００２１】
入力部２４は、操作者からの各種指示や情報入力を受け付ける。この入力部２４としては、マウスやトラックボールなどのポインティングデバイス、モード切替スイッチ等の選択デバイス、あるいはキーボード等の入力デバイスを適宜に利用可能である。
【００２２】
表示部２５は、制御部２６による制御のもと、スペクトラムデータあるいは画像データ等の各種の情報を表示する。この表示部２５としては、液晶表示器などの表示デバイスを利用可能である。
【００２３】
制御部２６は、図示していないＣＰＵ（Central  Processing  Unit）やメモリ等を有し、ＭＲＩ装置１００の全体制御を行う。この制御部２６は、例えば、入力部２４を介して操作者から入力される撮像条件に基づいて各種のシーケンス実行データを生成し、生成したシーケンス実行データをシーケンス制御部１０に送信することによってスキャンを制御する。また、制御部２６は、スキャンの結果としてシーケンス制御部１０からＭＲ信号データが送られた場合に、そのＭＲ信号データに基づいて画像を再構成するよう画像再構成部２２を制御する。
【００２４】
以上、本実施例に係るＭＲＩ装置１００の構成について説明した。このような構成のもと、ＭＲＩ装置１００では、計算機システム２０が、撮像プロトコルを識別するプロトコル情報と、その撮像プロトコルにおける撮像位置が設定済みであることを示すとともに操作受付可能な領域で表される位置決め情報とを対応付けて表示部２５に表示させる。また、計算機システム２０は、表示部２５に表示された位置決め情報を表す領域に対する操作を受け付け、操作を受け付けた位置決め情報に対応する撮像プロトコルに関する撮像位置に基づく処理を実行する。
【００２５】
ここで、位置決め情報を表す操作受付可能な領域とは、例えば、所定の形状や文字で表されるアイコンである。本実施例では、かかるアイコンなどに対する操作を操作者から受け付け、受け付けた操作に応じて、撮像位置に関する操作を実行する。したがって、本実施例によれば、撮像プロトコルごとに設定される撮像位置に関する操作を操作者が容易に行うことができる。
【００２６】
次に、図１に示した計算機システム２０について詳細に説明する。図２は、本実施例に係る計算機システム２０の詳細な構成を示す機能ブロック図である。なお、図２では、図１に示した記憶部２３、入力部２４、表示部２５、及び制御部２６を示し、他の部については図示を省略している。
【００２７】
図２に示すように、記憶部２３は、画像記憶部２３ａと、プロトコル定義情報記憶部２３ｂとを有する。画像記憶部２３ａは、画像再構成部２２により生成された画像データを記憶する。
【００２８】
プロトコル定義情報記憶部２３ｂは、撮像プロトコルを識別するプロトコル情報と、該撮像プロトコルにおける撮像位置を示す撮像位置情報とを対応付けたプロトコル定義情報を撮像プロトコルごとに記憶する。図３は、本実施例に係るプロトコル定義情報記憶部２３ｂにより記憶されるプロトコル定義情報の一例を示す図である。
【００２９】
図３に示すように、例えば、プロトコル定義情報には、プロトコルＩＤと、撮像位置情報と、撮像パラメータ情報とが含まれる。プロトコルＩＤは、撮像プロトコルを一意に識別するための情報である。例えば、プロトコルＩＤには、「プロトコル−１」や「プロトコル−２」などのように、撮像プロトコルごとに決められる識別情報が設定される。
【００３０】
また、撮像位置情報は、撮像プロトコルに設定された撮像位置を示す情報である。例えば、撮像位置情報は、装置座標に対する３次元の相対座標として設定される。ここでいう装置座標は、例えば、静磁場中心の座標（０，０，０）である。なお、図３では、１つのスライスに関する撮像位置情報のみを示しているが、実際には、複数のスライスに関する複数の撮像位置情報が設定される。また、ここでは、装置座標に対する相対座標が撮像位置情報として設定される場合について説明するが、実施形態はこれに限られない。例えば、撮像位置情報として、複数の装置座標すなわち各スライスの絶対位置情報が設定されてもよい。
【００３１】
また、撮像パラメータ情報は、撮像プロトコルを実行する際に必要となる各種撮像パラメータに関する情報である。例えば、撮像パラメータ情報には、撮像が開始される前に操作者によって設定された各種撮像パラメータに関する具体的な値が設定される。また、撮像パラメータ情報には、撮像位置の設定に用いられた位置決め画像を示す画像ＩＤも設定される。
【００３２】
また、制御部２６は、表示制御部２６ａと、操作受付部２６ｂと、位置決め処理実行部２６ｃと、撮像条件変更部２６ｄと、撮像位置設定部２６ｅとを有する。
【００３３】
表示制御部２６ａは、操作受付部２６ｂにより受け付けられた位置決め情報に対する操作に応じて、その位置決め情報に対応する撮像プロトコルに関する撮像位置に基づく処理を実行する。例えば、表示制御部２６ａは、プロトコル定義情報記憶部２３ｂにより記憶されたプロトコル定義情報に基づいて、プロトコル情報と位置決め情報とを対応付けたプロトコル一覧画面を表示部２５に表示させる。
【００３４】
操作受付部２６ｂは、入力部２４を介して、操作者から各種操作を受け付ける。例えば、操作受付部２６ｂは、プロトコル一覧画面に対する操作や、プロトコル一覧画面上の任意の位置にポインタを配置する操作などを受け付ける。
【００３５】
位置決め処理実行部２６ｃは、表示制御部２６ａによる制御のもと、プロトコル定義情報記憶部２３ｂに格納されているプロトコル定義情報の撮像位置情報を更新することで、撮像プロトコルの撮像位置を設定する。
【００３６】
撮像条件変更部２６ｄは、撮像プロトコルごとに撮像条件を変更する。例えば、撮像条件変更部２６ｄは、撮像が開始された後に、被検体Ｐの大きさや撮像部位の種類に応じてＳＡＲ（Specific  Absorption  Rate）を算出し、算出された値に応じて撮像条件を変更する。例えば、撮像条件変更部２６ｄは、算出されたＳＡＲが上限値を超えていた場合には、スライス枚数を減らすように、プロトコル定義情報記憶部２３ｂに格納されているプロトコル定義情報の撮像パラメータ情報を変更する。
【００３７】
撮像位置設定部２６ｅは、撮像プロトコルごとに撮像位置を設定する。例えば、撮像位置設定部２６ｅは、位置決め画像上にＲＯＩを設定する操作を操作者から受け付ける。そして、撮像位置設定部２６ｅは、位置決め画像上に設定されたＲＯＩの位置に基づいて、プロトコル定義情報記憶部２３ｂに格納されているプロトコル定義情報の撮像位置情報を更新する。
【００３８】
次に、図４〜１１を用いて、本実施例に係るＭＲＩ装置１００により実行される各種処理の処理手順について説明する。
【００３９】
最初に、撮像プロトコルの追加処理について説明する。図４は、ＭＲＩ装置１００により実行される撮像プロトコルの追加処理の処理手順を示すフローチャートである。
【００４０】
図４に示すように、まず、操作受付部２６ｂが、入力部２４を介して、プロトコル一覧画面の表示を要求する操作を操作者から受け付ける（ステップＳ１０１）。そして、操作受付部２６ｂによってプロトコル一覧画面の表示を要求する操作が受け付けられた場合に（ステップＳ１０１，Ｙｅｓ）、表示制御部２６ａが、検査において実行される撮像プロトコルの一覧を表示するためのプロトコル一覧画面を表示部２５に表示させる。
【００４１】
図５は、表示制御部２６ａにより表示されるプロトコル一覧画面の一例を示す図である。図５に示すように、表示制御部２６ａ、例えば、番号と、プロトコル情報と、位置決め情報とを対応付けたプロトコル一覧画面３０を表示部２５に表示させる。ここで、番号は、例えば、「１」、「２」、「３」・・・のような自然数である。
【００４２】
また、プロトコル情報は、撮像プロトコルを一意に識別する情報である（「プロトコル−１」〜「プロトコル−６」）。例えば、プロトコル情報は、「Ｔ１  ＡＸ（Axial）」、「ＦＬＡＩＲ（Fluid  Attenuated  IR）  ＡＸ」、「３Ｄ  ＴＯＦ（Time  Of  Flight）」などの撮像プロトコル名である。なお、このプロトコル情報は、図３に示したプロトコルＩＤに対応する。
【００４３】
また、位置決め情報は、撮像位置が設定済みであることを示すとともに、操作受付可能な領域で表される。図５に示すように、例えば、撮像位置情報は、「Ｐ１」、「Ｐ２」などの文字が標記された四角形状のアイコン３１〜３５で表される。なお、以下では、撮像位置情報を表すアイコンを位置決めアイコンと呼ぶ。なお、位置決めアイコンとしては、図５に示したものに限られず、各種形状や各種文字で表されるものを用いることが可能である。
【００４４】
ここで、表示制御部２６ａは、同じ撮像位置が設定された撮像プロトコルについては、位置決め情報を表す領域を同じ表示態様で表示させる。例えば、図５に示す例では、各位置決めアイコン３１〜３５に標記される文字は、位置決め画像上に設定された撮像位置に対応している。すなわち、同じ撮像位置が設定されている撮像プロトコルについては、同じ文字が標記されたアイコンが表示される。図５に示す例では、プロトコル−１、プロトコル−２、及びプロトコル−３に関する撮像位置が同じであり、プロトコル−４及びプロトコル−５に関する撮像位置が同じであることを示している。
【００４５】
図４にもどって、表示制御部２６ａによってプロトコル一覧画面が表示された後に、操作受付部２６ｂが、入力部２４を介して、撮像プロトコルを追加する操作を操作者から受け付ける（ステップＳ１０２）。ここで、撮像プロトコルを追加する操作が受け付けられない場合には（ステップＳ１０２，Ｎｏ）、計算機システム２０は、撮像プロトコルの追加処理を終了する。
【００４６】
一方、撮像プロトコルを追加する操作が受け付けられた場合には（ステップＳ１０２，Ｙｅｓ）、表示制御部２６ａは、プロトコル定義情報記憶部２３ｂを参照して、操作者によって指定されたプロトコル定義情報を読み込み（ステップＳ１０３）、読み込んだプロトコル定義情報をプロトコル一覧画面上に出力する。
【００４７】
続いて、表示制御部２６ａは、読み込んだプロトコル定義情報に撮像位置が設定されているか否かを判定する（ステップＳ１０４）。ここで、プロトコル定義情報に撮像位置が設定されていなかった場合には（ステップＳ１０４，Ｎｏ）、表示制御部２６ａは、撮像プロトコルを追加する操作が行われるまで待機する（ステップＳ１０２に戻る）。
【００４８】
一方、プロトコル定義情報に撮像位置が設定されていた場合には（ステップＳ１０４，Ｙｅｓ）、表示制御部２６ａは、そのプロトコル定義情報と撮像位置が同じ撮像プロトコルがプロトコル一覧画面上に表示されているか否かを判定する（ステップＳ１０５）。
【００４９】
そして、撮像位置が同じ撮像プロトコルが表示されていた場合には（ステップＳ１０５，Ｙｅｓ）、表示制御部２６ａは、追加された撮像プロトコルの位置決めアイコンとして、撮像位置が同じ撮像プロトコルと同じ位置決めアイコンを表示する（ステップＳ１０６）。例えば、図５に示した例では、表示制御部２６ａは、表示済みの位置決めアイコンと同じ文字が標記された位置決めアイコンを表示する。
【００５０】
また、撮像位置が同じ撮像プロトコルが表示されていなかった場合には（ステップＳ１０５，Ｎｏ）、表示制御部２６ａは、追加された撮像プロトコルの位置決めアイコンとして、表示済みの位置決めアイコンとは異なる位置決めアイコンを表示する（ステップＳ１０７）。例えば、図５に示した例では、表示制御部２６ａは、表示済みの位置決めアイコンとは異なる文字が標記された位置決めアイコンを表示する。
【００５１】
次に、位置決め画像の参照表示処理及び位置決め情報複写処理について説明する。図６は、ＭＲＩ装置１００により実行される位置決め画像の参照表示処理及び位置決め情報複写処理の処理手順を示すフローチャートである。
【００５２】
図６に示すように、まず、操作受付部２６ｂが、入力部２４を介して、プロトコル一覧画面上の任意の位置にポインタを配置する操作を操作者から受け付ける。そして、プロトコル一覧画面に表示された位置決めアイコン上にポインタが置かれた場合には（ステップＳ２０１，Ｙｅｓ）、表示制御部２６ａが、ポインタが置かれた位置決めアイコンに対応する撮像プロトコルの撮像位置を示す情報を位置決め画像とともに参照表示する（ステップＳ２０２）。
【００５３】
図７は、表示制御部２６ａによる位置決め画像の参照表示の一例を示す図である。図７に示すように、例えば、表示制御部２６ａは、プロトコル一覧画面３０に表示された位置決めアイコン３１上にポインタ４０が置かれた場合に、プロトコル−１に設定されている撮像位置を示す矩形状のＲＯＩを位置決め画像５０上に重ねて表示する。
【００５４】
このとき、例えば、表示制御部２６ａは、プロトコル一覧画面３０に表示された位置決めアイコンそれぞれについて、位置決めアイコンの表示位置を示す座標と、位置決めアイコンに対応する撮像プロトコルのプロトコルＩＤとを関連付けた情報を内部メモリに記憶しておく。そして、表示制御部２６ａは、ポインタ４０によって指し示された位置がいずれかの位置決めアイコン上であった場合には、内部メモリに記憶されている情報に基づいて、ポインタ４０で指定された位置決めアイコンに関連付けられているプロトコルＩＤを特定する。
【００５５】
続いて、表示制御部２６ａは、プロトコル定義情報記憶部２３ｂに記憶されているプロトコル定義情報を参照して、特定したプロトコルＩＤに対応する撮像位置情報と位置決め画像の画像ＩＤとを取得する。その後、表示制御部２６ａは、取得した画像ＩＤに基づいて画像記憶部２３ａから位置決め画像の画像データを読み出し、読み出した画像データを用いてプロトコル一覧画面３０上に位置決め画像を表示する。さらに、表示制御部２６ａは、取得した撮像位置情報に基づいて、撮像位置を示す矩形状のＲＯＩを位置決め画像上に描画する。
【００５６】
なお、例えば、画像記憶部２３ａに記憶されている位置決め画像の画像データにプロトコルＩＤを付帯させておくようにしてもよい。その場合には、表示制御部２６ａは、ポインタ４０で指定された位置決めアイコンに関連付けられているプロトコルＩＤを特定した後に、特定したプロトコルＩＤに基づいて、画像記憶部２３ａから位置決め画像の画像データを読み出す。
【００５７】
以上の処理により、例えば、位置決めアイコン３１と同じ文字「Ｐ１」が標記されている位置決めアイコン３２又は３３上にポインタ４０が置かれた場合には、同じ位置決め画像５０が表示されることになる。
【００５８】
図６にもどって、操作受付部２６ｂは、入力部２４を介して、プロトコル一覧画面に表示された位置決めアイコンの中から１つの撮像プロトコルに対応する位置決めアイコンを選択する操作と、他の撮像プロトコルを選択する操作とをそれぞれ受け付ける。例えば、表示制御部２６ａは、位置決めアイコンをドラッグ・アンド・ドロップする操作を受け付ける（ステップＳ２０３）。なお、ここでは、ドラッグ・アンド・ドロップの例について説明するが、２つの位置決めアイコンを選択する操作は、他の操作であってもよい。例えば、クリック・アンド・クリックなどでもよい。
【００５９】
そして、２つの位置決めアイコンを選択する操作が受け付けられた場合に、表示制御部２６ａが、位置決め処理実行部２６ｃを制御して、一方の位置決めアイコンに対応する撮像プロトコルの撮像位置を他方の位置決めアイコンに対応する撮像プロトコルの撮像位置として設定する。このとき、位置決め処理実行部２６ｃは、プロトコル定義情報記憶部２３ｂに格納されているプロトコル定義情報を参照して、一方の位置決めアイコンの撮像プロトコルに対応する撮像位置情報を、他方の位置決めアイコンの撮像プロトコルに対応する撮像位置情報に複写する。
【００６０】
例えば、表示制御部２６ａは、位置決めアイコンがドラック・アンド・ドロップされた場合には（ステップＳ２０３，Ｙｅｓ）、位置決め処理実行部２６ｃを制御して、位置決めアイコンがドラッグされた撮像プロトコルの撮像位置を位置決めアイコンがドロップされた撮像プロトコルの撮像位置として設定する（ステップＳ２０４）。
【００６１】
図８は、表示制御部２６ａによる位置決め情報の複写の一例を示す図である。図８に示すように、例えば、プロトコル一覧画面３０に表示された位置決めアイコン３５がドラッグされ、プロトコル−７に対応する位置決めアイコン３６の位置にドロップされた場合には、位置決め処理実行部２６ｃは、プロトコル−５に対応するプロトコル定義情報の撮像位置情報を、プロトコル−７に対応するプロトコル定義情報の撮像位置情報に複写する。
【００６２】
なお、位置決め処理実行部２６ｃが撮像位置情報を複写する際には、撮像位置情報のみを複写してもよいし、撮像位置情報に影響を与える付随情報（例えば、スライス厚、画像ピッチなど）を撮像位置情報とともに複写されてもよい。ここで、撮像位置情報のみを複写する場合には、位置決め処理実行部２６ｃは、複写する撮像位置情報に応じて、複写先のプロトコル定義情報にすでに設定されていたスライス厚、画像ピッチなどの撮像パラメータを補正する。
【００６３】
次に、撮像条件変更処理について説明する。図９は、ＭＲＩ装置１００により実行される撮像条件変更処理の処理手順を示すフローチャートである。
【００６４】
図９に示すように、入力部２４を介して、操作者から撮像の開始指示が受け付けられた場合には（ステップＳ３０１，Ｙｅｓ）、撮像条件変更部２６ｄが、被検体Ｐの大きさや撮像部位の種類に応じてＳＡＲを算出する（ステップＳ３０２）。
【００６５】
そして、撮像条件変更部２６ｄは、算出したＳＡＲが上限値を超えていた場合には（ステップＳ３０３，Ｙｅｓ）、実施される撮像プロトコルの撮像条件を変更する（ステップＳ３０４）。なお、ＳＡＲが上限値を超えていなかった場合には（ステップＳ３０３，Ｎｏ）、撮像条件変更部２６ｄは、撮像条件の変更は行わない。
【００６６】
そして、撮像条件変更部２６ｄによって撮像条件が変更された後に、表示制御部２６ａが、撮像条件変更部２６ｄにより撮像条件が変更された撮像プロトコルについては、撮像条件が変更される前の表示態様とは異なる表示態様で位置決めアイコンを表示させる（ステップＳ３０５）。
【００６７】
図１０は、表示制御部２６ａによる位置決め情報の表示態様の変更の一例を示す図である。図１０に示すように、例えば、表示制御部２６ａは、撮像条件変更部２６ｄによってプロトコル−３に関する撮像条件が変更された場合には、プロトコル−３に対応する位置決めアイコン３３に標記されている文字を「Ｐ１」から「Ｐ３」に変更する。
【００６８】
次に、撮像位置変更処理について説明する。図１１は、ＭＲＩ装置１００により実行される撮像位置変更処理の処理手順を示すフローチャートである。
【００６９】
図１１に示すように、まず、撮像位置設定部２６ｅが、プロトコル一覧画面に表示されている撮像プロトコルのうちいずれかの撮像位置を変更する操作を操作者から受け付ける（ステップＳ４０１）。
【００７０】
そして、撮像位置を変更する操作が受け付けられた場合に（ステップＳ４０１，Ｙｅｓ）、表示制御部２６ａが、位置決め処理実行部２６ｃを制御して、撮像位置設定部２６ｅにより変更された撮像プロトコルの撮像位置を変更する（ステップＳ４０２）。このとき、撮像位置設定部２６ｅは、プロトコル定義情報記憶部２３ｂを参照して、変更対象となった撮像プロトコルに対応するプロトコル定義情報の撮像位置情報を変更する。
【００７１】
その後、表示制御部２６ａは、撮像位置が変更された撮像プロトコルの変更前の撮像位置と同じ撮像位置が設定されている他の撮像プロトコルがプロトコル一覧画面上に表示されているか否かを判定する（ステップＳ４０３）。ここで、撮像位置が同じ撮像プロトコルが表示されていなかった場合には（ステップＳ４０３，Ｎｏ）、表示制御部２６ａは、撮像位置変更処理を終了する。
【００７２】
一方、撮像位置が同じ撮像プロトコルが表示されていた場合には（ステップＳ４０３，Ｙｅｓ）、表示制御部２６ａは、それら他の撮像プロトコルの撮像位置も変更するか否かを操作者に問い合わせるためのメッセージを表示部２５に出力する。
【００７３】
そして、操作者から他の撮像プロトコルの撮像位置も変更するよう指示された場合には（ステップＳ４０４，Ｙｅｓ）、表示制御部２６ａは、位置決め処理実行部２６ｃを制御して、他の撮像プロトコルの撮像位置を同様に変更する（ステップＳ４０５）。一方、操作者から他の撮像プロトコルの撮像位置は変更しないよう指示された場合には（ステップＳ４０４，Ｎｏ）、表示制御部２６ａは、撮像位置が変更された撮像プロトコルの位置決めアイコンのみを他の撮像プロトコルの位置決めアイコンとは異なるものに変更する（ステップＳ４０６）。
【００７４】
すなわち、操作者から他の撮像プロトコルの撮像位置も変更するよう指示された場合には表示制御部２６ａは、変更対象となった撮像プロトコルの位置決めアイコンは変更しない。これにより、変更対象となった撮像プロトコルの位置決めアイコンと、その撮像プロトコルと撮像位置が同じ他の撮像プロトコルの位置決めアイコンとを同じにした状態で、それぞれの撮像プロトコルに対応するプロトコル定義情報の撮像位置情報が同じになるように変更される。
【００７５】
なお、ここでは、他の撮像プロトコルの撮像位置は変更しないよう指示された場合には、変更対象となった撮像プロトコルの位置決めアイコンを変更し、他の撮像プロトコルの撮像位置も変更するよう指示された場合には、変更対象となった撮像プロトコルの位置決めアイコンも他の撮像プロトコルの位置決めアイコンも変更しないこととした。
【００７６】
これに対し、例えば、複数の撮像プロトコルのうち１つの撮像プロトコルの撮像位置が変更された場合に、変更対象となった撮像プロトコルの位置決めアイコンについて、色を同じにしたまま、文字を変えるようにしてもよい。
【００７７】
図１２は、位置決めアイコンの表示態様の変更に関する他の例を示す図である。図１２は、図５に示したプロトコル一覧画面のように、プロトコル−１〜プロトコル−３の撮像位置が同じであり、プロトコル−４及びプロトコル−５の撮像位置が同じであった状態で、プロトコル−３の撮像位置を変更した例を示している。
【００７８】
この例では、表示制御部２６ａは、撮像位置が同じ撮像プロトコルに対応する位置決めアイコンについては同じ色で表示しておく。すなわち、プロトコル−１〜プロトコル−３の位置決めアイコン３１〜３３の色を同じにし、プロトコル−４及びプロトコル−５の位置決めアイコン３４及び３５の色を同じにする。そして、例えば、プロトコル−３の撮像位置が変更された場合に、表示制御部２６ａは、プロトコル−３の位置決めアイコン３３に標記されている文字を「Ｐ１」から「Ｐ３」に変更する。このとき、表示制御部２６ａは、プロトコル−３の位置決めアイコン３３の色は、プロトコル−１及びプロトコル−２の位置決めアイコンと同じ色のままにしておく。
【００７９】
これにより、複数の撮像プロトコルのうち１つの撮像プロトコルの撮像位置が変更された場合に、変更対象となった撮像プロトコルが位置決めアイコンの文字によって判別可能になるとともに、変更前は撮像位置が同じであった撮像プロトコルのグループが位置決めアイコンの色によって判別可能になる。
【００８０】
上述してきたように、本実施例では、表示制御部２６ａは、撮像プロトコルを識別するプロトコル情報と、その撮像プロトコルにおける撮像位置が設定済みであることを示すとともに操作受付可能な領域で表される位置決め情報とを対応付けて表示部２５に表示させる。また、操作受付部２６ｂは、表示部２５に表示された位置決め情報を表す領域に対する操作を受け付ける。また、位置決め処理実行部２６ｃは、操作受付部２６ｂにより受け付けられた位置決め情報に対する操作に応じて、その位置決め情報に対応する撮像プロトコルに関する撮像位置に基づく処理を実行する。したがって、本実施例によれば、撮像プロトコルごとに設定される撮像位置に関する操作を操作者が容易に行うことができる。
【００８１】
また、本実施例では、表示制御部２６ａは、同じ撮像位置が設定された撮像プロトコルについては、位置決め情報を表す領域を同じ表示態様で表示させる。したがって、本実施例によれば、同じ撮像位置が設定されている撮像プロトコルを操作者が容易に識別することができる。
【００８２】
また、本実施例では、表示制御部２６ａは、位置決め情報を表す領域に対する操作に応じて、その位置決め情報に対応する撮像プロトコルにおける撮像位置を示す情報を被検体Ｐの画像とともに表示部２５に表示させる。したがって、本実施例によれば、操作者が、位置決め画像を基準にして、撮像される断面の位置を容易に確認することができる。
【００８３】
また、本実施例では、位置決め処理実行部２６ｃは、第１の撮像プロトコルに対応する位置決め情報を表す領域を選択する操作と第２の撮像プロトコルを選択する操作とをそれぞれ受け付けた場合に、第１の撮像プロトコルの撮像位置を第２の撮像プロトコルの撮像位置として設定する。したがって、本実施例によれば、操作者が、複数の撮像プロトコルについて撮像位置を容易に設定することができる。
【００８４】
また、本実施例では、撮像条件変更部２６ｄは、撮像プロトコルごとに撮像条件を変更する。また、表示制御部２６ａは、撮像条件変更部２６ｄにより撮像条件が変更された撮像プロトコルについては、撮像条件が変更される前の表示態様とは異なる表示態様で位置決め情報を表示させる。したがって、本実施例によれば、操作者が、複数の撮像プロトコルのうち、撮像条件が変更された撮像プロトコルを容易に識別することができる。
【００８５】
また、本実施例では、撮像位置設定部２６ｅは、撮像プロトコルごとに撮像位置を変更する。そして、撮像位置変更部２６ｅは、複数の撮像プロトコルのうちいずれかの撮像プロトコルに関する撮像位置が変更された場合に、変更前の撮像位置と同じ撮像位置が設定されている他の撮像プロトコルについても同様に撮像位置を変更する。したがって、本実施例によれば、同じ撮像位置を設定すべき複数の撮像プロトコルについて、撮像位置を容易に変更することができる。
【００８６】
また、本実施例では、プロトコル定義情記憶部２３ｂは、撮像プロトコルを識別するプロトコル情報と、その撮像プロトコルにおける撮像位置を示す撮像位置情報とを対応付けたプロトコル定義情報を撮像プロトコルごとに記憶する。また、表示制御部２６ａは、プロトコル定義情報記憶部２３ｂにより記憶されたプロトコル定義情報に基づいて、プロトコル情報と位置決め情報とを表示部２５に表示させる。したがって、本実施例によれば、あらかじめプロトコル情報に撮像位置を設定しておくことで、操作者が、撮像が行われるたびに撮像位置を設定する必要がなくなる。これにより、撮像位置の設定に関する操作者の負担を軽減することができる。
【００８７】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８８】
１００  ＭＲＩ装置
２６ａ  表示制御部
２６ｂ  操作受付部
２６ｃ  位置決め処理実行部
【図１】
0005689623.tif 000002
【図２】
0005689623.tif 000003
【図３】
0005689623.tif 000004
【図４】
0005689623.tif 000005
【図５】
0005689623.tif 000006
【図６】
0005689623.tif 000007
【図７】
0005689623.tif 000008
【図８】
0005689623.tif 000009
【図９】
0005689623.tif 000010
【図１０】
0005689623.tif 000011
【図１１】
0005689623.tif 000012
【図１２】
0005689623.tif 000013